(57)【特許請求の範囲】
【請求項１】
室内機で熱交換を受ける空気に含まれる塵を集塵するための集塵フィルタ部と、集塵フィルタ部の後方に配設された室内熱交換器を備える空気調和機において、
前記集塵フィルタ部は、前記室内機本体に取り付けられたフィルタ保持枠と、
前記フィルタ保持枠に取り外し自在に装着されるフィルタ本体と
を備え、
前記フィルタ本体は、その両側面に突出した係合部とこの係合部より上側に位置する案内突起部とを有し、
前記フィルタ保持枠は、その両側に、フィルタ本体の前記係合部を前記室内機の前面側から後面側に向かってはめ込んで係止させる係止部と、
前記室内機の前面側に対して斜め下方に向かって開口し前記係止部の近傍に位置する開口部とこの開口部から斜め後部上方に切り溝が形成された前記案内突起部が挿入される案内部と
を夫々有し、
前記係合部が前記係止部からはずれた状態で前記案内突起部を案内部下方から上方へ案内し、
前記案内突起部の挿入方向奥側の端部が前記切り溝の奥端部に当接する位置にあるときに、前記係合部を前記係止部に前面側から後面側に向かってはめ込むことで取り付け、
前記係合部を前記係止部から後面側から前面側に引く事で係止部から外し、前記係合部が前記係止部からはずれた状態で前記案内突起部を案内部上方から下方へ案内することで取り外しを行なう
ように構成することを特徴とする空気調和機。
【請求項２】
前記フィルタ本体の下部に把手部が設けられ、この把手部の内側に波形状凹凸部が形成されている
ことを特徴とする請求項１に記載の空気調和機。
【請求項３】
前記フィルタ保持枠の外周枠部は、前面パネルによっておおわれることを特徴とする請求項１に記載の空気調和機。
【発明の詳細な説明】
【０００１】
【発明の属する技術分野】
本願発明は、空気調和機に係り、特に室内機で熱交換を受ける空気に含まれる塵を集塵するための集塵フィルタ部を備える空気調和機に関する。
【０００２】
【従来の技術】
図１１に示すように、空気調和機の室内ユニット１０１においては、適当な期間毎に、室内パネル１０２を開け空気清浄用のフィルタ１０３を取り外し、空気洗浄用フィルタ１０３を洗浄する必要がある。このため、空気清浄用フィルタ１０３は、通常はフィルタ保持枠１０４に固定保持され、洗浄時にフィルタ保持枠１０４から取り外れるように構成されている。
【０００３】
【発明が解決しようとする課題】
図９に示すように、空気清浄用フィルタ１０３のフィルタ保持枠１０４への固定保持は、例えば、空気清浄用フィルタ１０３の側部に形成された突起部１０３ａがフィルタ保持枠１０４の側部に形成された凹部１０４ａに嵌め込まれることによってなされている。
【０００４】
この場合、空気清浄用フィルタ１０３は下部にある把持部１０５を手でつかみ室内ユニット１０１の本体の下方から上方へ上げることによって突起部１０３ａが凹部１０４ａに嵌め込まれて保持され、また、把持部１０５を手でつかみ室内ユニット１０１の本体の上方からその下方へ引き下げることによって突起部１０３ａが凹部１０４ａから外れる。
【０００５】
しかしながら、突起部１０３ａが凹部１０４ａに嵌め込まれることによって空気清浄用フィルタ１０３がフィルタ枠体１０４に固定保持されていただけであったので、空気調和機の運転中における振動等によって空気清浄用フィルタ１０３がフィルタ枠体１０４から外れるおそれがあるという問題があった。
【０００６】
また、図１０に示すように、空気清浄用フィルタ１０３のフィルタ枠体１０４への固定保持と取り外しについて他の構造を有するものがある。
【０００７】
図１０において、空気清浄用フィルタ１０３の下部に形成された合成樹脂製の比較的に長い把持部１０５（図９の把持部１０５に相当）の下端が、フィルタ保持枠１０４の下部に形成された断面Ｌ字状の止め部１０６の上端に当接し支持され、空気清浄用フィルタ１０３が落下しにくい構成になっている。空気清浄用フィルタ１０３とフィルタ保持枠１０４との間には狭い隙間Ｍが形成されている。
【０００８】
空気清浄用フィルタ１０３をフィルタ保持枠１０４から取り外す場合は、把持部１０５をまずＡの方向に持ち上げ、次ぎにＢ方向へ斜め下方へ引き抜くようにする。
【０００９】
空気清浄用フィルタ１０３をフィルタ保持枠１０４へ取り付ける場合は、空気清浄用フィルタ１０３の上端を止め部１０６に沿って上方へ移動させ、さらに把持部１０５を上方へ押し上げることによって把持部１０５が止め部１０６を乗り越え把持部１０５が止め部１０６の上面に乗るようになる。
【００１０】
しかしながら、図１０に示す構成においては、空気清浄用フィルタ１０３の落下防止をするために隙間Ｍが小さく設定されており、また把持部１０５の柔軟性を利用して空気清浄用フィルタ１０３の取り付けと取り外しが行われるようになっている。このため、空気清浄用フィルタ１０３の取り付けと取り外しの際に位置Ｘにおいて空気清浄用フィルタ１０３の下面と止め部１０６との間で、また空気清浄用フィルタ１０３の下面とフィルタ把持部１０４の下端との間で強い接触が生じ、空気清浄用フィルタ１０３の取り外し等において強い力で押し上げたり引き下げたりする必要があった。また、取り付けと取り外しを何度も繰り返すと、合成樹脂製の比較的に長い把持部１０５が曲がるため把持部１０５が破損する危険もあった。
【００１１】
そこで、本発明の目的は、上記従来技術の有する問題を解消し、集塵フィルタ部においてフィルタ本体のフィルタ保持枠に対する取り付けと取り外しを容易に安全で確実にできる空気調和機を提供することである。
【００１２】
【課題を解決するための手段】
上記目的を達成するために、本願発明に係る空気調和機は、室内機で熱交換を受ける空気に含まれる塵を集塵するための集塵フィルタ部と、集塵フィルタ部の後方に配設された室内熱交換器を備える空気調和機において、前記集塵フィルタ部は、前記室内機本体に取り付けられたフィルタ保持枠と、前記フィルタ保持枠に取り外し自在に装着されるフィルタ本体とを備え、前記フィルタ本体は、その両側面に突出した係合部とこの係合部より上側に位置する案内突起部とを有し、前記フィルタ保持枠は、その両側に、フィルタ本体の前記係合部を前記室内機の前面側から後面側に向かってはめ込んで係止させる係止部と、前記室内機の前面側に対して斜め下方に向かって開口し前記係止部の近傍に位置する開口部とこの開口部から斜め後部上方に切り溝が形成された前記案内突起部が挿入される案内部とを夫々有し、前記係合部が前記係止部からはずれた状態で前記案内突起部を案内部下方から上方へ案内し、前記案内突起部の挿入方向奥側の端部が前記切り溝の奥端部に当接する位置にあるときに、前記係合部を前記係止部に前面側から後面側に向かってはめ込むことで取り付け、前記係合部を前記係止部から後面側から前面側に引く事で係止部から外し、前記係合部が前記係止部からはずれた状態で前記案内突起部を案内部上方から下方へ案内することで取り外しを行なうように構成することを特徴とする。
【００１６】
前記フィルタ本体の下部に把手部が設けられ、この把手部の内側に波形状凹凸部が形成されていることを特徴とする。
【００１７】
前記フィルタ保持枠の外周枠部は、前面パネルによっておおわれることを特徴とする。
【００１８】
上述の発明において、フィルタ本体は室内機本体に取り付けられたフィルタ保持枠に取り外し自在に装着される。フィルタ本体の側面に係合部が形成されている。係合部は、室内機の前面側から後面側に向かって係止部の開口からはめ込まれ、また逆に、室内機の後面側から前面側に向かって引かれ係止部との係止が解かれる。係合部と係止部とは係合部が室内機の前面側から後面側に向かってはめ込まれて係止されるように構成されているので、フィルタ本体をフィルタ保持枠に安全で容易に確実に装着することができる。
【００１９】
また、作業者は手前方向から係止部の開口部の位置を視認できるので、容易に作業することができる。
【００２０】
また、フィルタ本体には案内突起部が形成されフィルタ保持枠には案内部が形成されているので、案内突起部を案内部で案内させるようにすることにより、係合部が係止部に嵌入されやすい位置に導くことができ、より安全で容易に確実にフィルタ本体をフィルタ保持枠に装着することができる。
【００２１】
また、案内部には切り溝が形成されており、案内突起部の挿入方向手前側の端部が切り溝を形成する面、例えば上面に沿って案内されるので、案内突起部は切り溝内を一定の方向に移動することが可能になり、フィルタ本体をフィルタ保持枠に安全で容易に確実に装着することができる。
【００２２】
また、案内突起部の挿入方向奥側の端部が切り溝の奥端部に当接する位置にあるときに、係合部は前記係止部にはめ込み可能な位置にあるので、案内突起部の挿入方向奥側の端部が切り溝の奥端部に当接することを待って係合部を係止部に確実にはめ込みすることができる。
【００２３】
また、フィルタ本体の下部に把手部が設けられ把手部の内側に波形状凹凸部が形成されているので、作業者は手の指を波形状凹凸部に密接に接触させることができる。
【００２４】
また、フィルタ保持枠の外周枠部は、集塵フィルタ部の前面側にある前面パネルによって室内機の前面側から後面側に向かって押し付けられ可能であるので、稼働中におけるフィルタ保持枠の振動等を有効に防止することができる。
【００２５】
【発明の実施の形態】
以下に図面を参照して本願発明の好適な実施の形態について説明する。
図８は、室内機１の前面側１ａにある吸込グリル２を開け、プレフィルタ３を外し、さらに室内機１本体に取り付けられたフィルタ保持枠５からフィルタ本体７と脱臭フィルタ９を取り外した状態を示す。
【００２６】
図５と図６は空気調和機の室内機１の概略構成を示す断面図である。図５は吸込グリル２が閉められた状態を示し、図６は吸込グリル２が開けられた状態を示す。
【００２７】
図５において、室内機１の内部には、前方上部に集塵フィルタ部１０が設けられており、集塵フィルタ部１０の後方には室内熱交換器１１ａ，１１ｂ，１１ｃが配設されており、中央部にはファン１２が配設されている。室内熱交換器１１ａ，１１ｂの下方にはドレイン１３．１３ａが配設され、ドレイン１３の下方には可動のルーバ１４が設けられている。室内機１本体全体は前面パネル３０でおおわれ、この前面パネル３０の上面には上部グリル２ａが設けれている。
【００２８】
ファン１２の回転により室内の空気が吸込グリル２と上部グリル２ａを介して室内機１内へ吸引される。吸引された空気は、プレフィルタ３によってまず予備的に大きな塵等が取り除かれ、さらに集塵フィルタ部１０で塵が除去されるとともに脱臭フィルタ９によって脱臭され、室内熱交換器１１ａ，１１ｂ，１１ｃで熱交換を受ける。室内熱交換器１１ａ，１１ｂ，１１ｃの冷媒配管には、図示しない室外機によって冷媒が送り込まれている。冷媒は、冷房モードと暖房モードの各モードに応じた流れ方向で冷媒配管内を循環する。室内熱交換器１１ａ，１１ｂ，１１ｃで熱交換された空気はルーバ１４を介して室内へ戻される。室内熱交換器１１ａ，１１ｂ，１１ｃで結露した空気中の水分はドレイン１３，１３ａに導かれ、室外へ除去される。
【００２９】
次ぎに、集塵フィルタ部１０について詳細に説明する。
集塵フィルタ部１０は、室内機１本体に取り付けられたパネル状のフィルタ保持枠５と、フィルタ保持枠５に取り外し自在に装着されるフィルタ本体７とを備えている。また、図７または図８に示すように、フィルタ保持枠５にはフィルタ本体７の左側に取り外し自在に脱臭フィルタ９が装着される。
【００３０】
図７に示すように、フィルタ保持枠５は、その端部固定部１５においてビスによって室内機１本体内の室内熱交換器１１ａの前面側端板にビス留めされて取り付けられている。また、フィルタ保持枠５の外周枠部５ａは、集塵フィルタ部１０の前面側にある前面パネル３０の格子部分３０ａによって室内機１の前面側からおおわれ、後面側に向かって押し付けられている。これによって、フィルタ保持枠５は、端部固定部１５において室内機１本体に固定されるとともに外周枠部５ａを前面パネル格子部分３０ａでおおわれることによって、外周枠部５の浮きを防止するとともに、押しつけることで稼働中における振動等が防止されるようになっている。
【００３１】
図１および図７に示すように、フィルタ本体７が装着されるフィルタ保持枠５の両側にはフィルタ保持板２０が立設されている。
【００３２】
また、図２に示すようにフィルタ本体７は、横長の矩形状の形状を有し、フィルタ本体７の両側の側面には、突出した係合部３１と、係合部３１の所定長さだけ上方に位置する案内突起部３２とが設けられている。図３または図４に示すように、係合部３１は円筒形状を有し、案内突起部３２は奥側（上側）に円筒形状の円筒部３２ａを有し手前側は板形状の板状部３２ｂを有する。
【００３３】
フィルタ本体７の下部には把持部３４が形成されており、把持部３４の内側部には手をかけたときに手の指が位置決めされやすいように波形状凹凸部３４ａが形成されている。
【００３４】
図１に示すように、フィルタ保持板２０には、係止部２２と案内部２４が形成されている。係止部２２には、室内機１の前面側１ａへ向かって開口する開口部２２ａと、室内機１の前面側１ａから後面側に向かって開口部２２ａから延びる係止溝部２２ｂが形成されている。
【００３５】
係止溝部２２ｂの上部には、爪２２ｃが設けられ、下部には保持部２２ｄが設けられる。フィルタ保持枠２２及びフィルタ保持板２０はともに合成樹脂製で一体化され、爪２２ｃは、弾性を有し、力を加えた場合、上下方向にわずかに曲がるように形成されている。一方、保持部２２ｄは、ほとんど変形しないように強固に形成されている。フィルタ本体７の係合部３１は、図３に示すように、開口部２２ａから嵌入されて係止溝部２２ｂの上端部において、爪２２ｃと保持部２２ｄにはさまれて保持される。
【００３６】
吸込グリル２を開けた状態で、係止部２２の開口部２２ａは室内機１本体の前面に面しているので外部からその位置を容易に視認することができる。
【００３７】
また、案内部２４には、室内機１本体の前面側１ａに対して斜め下方に向かって開口し開口部２２ａの近傍に位置する開口部２４ａと、開口部２４ａから斜め後部上方に延びる切り溝２４ｂが形成されている。切り溝２４ｂの奥端部２４ｃは半円状に形成され、図３に示すように、案内突起部３２の円筒部３２ａの先端部が隙間なく奥端部２４ｃに当接できるように形成されている。
【００３８】
次ぎに、図３および図４を参照して、係合部３１の係止部２２に対する取り付け取り外しと、案内突起部３２の案内部２４に対する取り付け取り外しについて説明する。
【００３９】
図３は、フィルタ本体７がフィルタ保持枠５に取り付けられている状態を示す。
【００４０】
案内突起部３２の円筒部３２ａは、開口部２４ａから挿入され切り溝２４ｂに沿って案内され奥端部２４ｃに当接する。案内突起部３２の板状部３２ｂは、その挿入方向手前側の端部が切り溝２４ｂを形成する上面に接触しながら切り溝２４ｂの奥方向へ案内される。円筒部３２ａが奥端部２４ｃに当接した位置で、フィルタ本体７を前面側から後面側に押し込むことで係合部３１である円筒形状の突起が爪２２ｃを上方に押し曲げ、切り溝２２ｂの入り口を押し広げる。そして、さらに力を加えると突起３１は、爪２２ｃの先端を乗り越え、切り溝２２ｂの内部に嵌まり込む。この位置で突起３１は上方を爪２２の基部で、下方を保持部２２ｄで挟み込まれ固定される。すなわち、係合部３１が係止部２に嵌入され、これと同時に板状部３２ｂの端部の切り溝２４ｂ上面への接触が解かれ、切り溝２４ｂと平行な位置関係になる。
【００４１】
図４は、フィルタ本体７がフィルタ保持枠５に取り外す手順を示す。
【００４２】
はじめ、フィルタ本体７とフィルタ保持枠５は図３に示す状態にある。まず、把持部３４の波形状凹凸部３４ａに手をかけ、Ｃ方向、すなわち室外機１本体の前面部１ａの手前に向かう方向または手前斜め上方へ把持部３４を引く。このとき、案内突起部３２の円筒部３２ａは奥端部２４ｃに当接したまま回転し、案内突起部３２の板状部３２ｂは、切り溝２４ｂを形成する上面に接触するまで移動する。同時に、係合部３１である円筒形状の突起が爪２２ｃを上方に押し曲げ、係止溝部２２ｂの入り口を押し広げ最終的に、爪２２ｃの先端を乗り越え、係止溝部２２ｂの外に外れて前面部１ａから手前に向かって移動し板状部３２ｂが係止溝部２４ｂ上面に接触すると同時に移動を止める。
【００４３】
次ぎに、把持部３４をＤ方向、すなわち室外機１本体の下方方向または下方斜め手前方向へ引く。案内突起部３２の円筒部３２ａは係止溝部２４ｂの奥端部２４ｃから離れ、案内突起部３２の板状部３２ｂは係止溝部２４ｂを形成する上面に接触しながら下方へ案内され、案内突起部３２の円筒部３２ａが開口部２４ａを抜け出て、案内突起部３２が案内部２４から取り外される。
【００４４】
以上、説明したように、本実施形態によれば、次ぎのような効果を奏することができる。
【００４５】
フィルタ本体７に設けられた係合部３１が、室内機１の前面側１ａから後面側へ向かう方向へ押し付けられることによってフィルタ保持枠７に形成された係止部２２に係止され、また、室内機１の後面側から前面側１ａへ向かう方向へ引くことによって係合部３１が係止部２２から外れるように構成されているので、フィルタ本体７をフィルタ保持枠５に対し、安全に確実に容易に取り付けと取り外しを行うことができる。
【００４６】
フィルタ本体７には案内突起部３２が設けられ、フィルタ保持枠５には案内部２４が形成され、係合部３１が係止部２２からはずれた状態で案内突起部３２が案内部２４に案内されるように構成されているので、フィルタ本体７をフィルタ保持枠５に対し、さらに安全に確実に容易に取り付けと取り外しを行うことができる。
【００４７】
案内部２４には係止溝部２４ａが形成されており、案内突起部３２の挿入方向手前側の端部が係止溝部２４ｂを形成する上面に沿って案内されるように構成されているので、案内突起部３２の係止溝部２４ｂ内の移動方向を単一に定めることができ、フィルタ本体７をフィルタ保持枠５に対し、安全に確実に容易に取り付けと取り外しを行うことができる。
【００４８】
吸込グリル２を開けた状態で、係止部２２の開口部２２ａは室内機１本体の前面に面しているので外部からその位置を容易に視認することができ、手探りで作業を行うことなく確実にフィルタ本体７の取り付け取り外し作業を行うことができる。
【００４９】
案内突起部３２の円筒部３２ａが係止溝部２４ｂの奥端部２４ｃに当接した位置にあるときに係合部３１は係止部２２の開口部２２ａへ嵌入可能な位置にあるので、円筒部３２ａが奥端部２４ｃに当接することを待つことによって係合部３１を係止部２２へ容易に嵌入させることができる。
【００５０】
フィルタ本体７の下部に把手部３４が設けられ、この把手部３４に波形状凹凸部３４ａが形成されているので、フィルタ本体７を所望な方向への移動動作を容易に行うことができる。
【００５１】
フィルタ保持枠５の外周枠部５ａは、集塵フィルタ部１０の前面側にある前面パネル３０の格子部分３０ａによって室内機１本体の前面側１ａから後面側に向かっておおわれかつ押し付けられているので、フィルタ保持枠５は端部固定部１５においてビス留めされるだけで、稼働中における振動等を有効に防止することができる。
なお、上述の説明においては、係止部２２を開口部２４ａを形成して凹状に形成し、係止部３１を凸状に形成した例を示したが、係止部を凸状に形成し係止部を開口部を形成して凹状に形成してもよい。
【００５２】
【発明の効果】
以上説明したように、本発明の構成によれば、集塵フィルタ部においてフィルタ本体のフィルタ保持枠に対する取り付けと取り外しを容易に安全で確実にできる空気調和機を提供することができる。
【図面の簡単な説明】
【図１】本願発明の空気調和機におけるフィルタ保持枠の概略構成を示す斜視図。
【図２】本願発明の空気調和機におけるフィルタ本体を示す平面図。
【図３】本願発明の空気調和機における集塵フィルタ部において、フィルタ本体がフィルタ保持枠に取り付けられている状態を示す断面図。
【図４】本願発明の空気調和機における集塵フィルタ部において、フィルタ本体がフィルタ保持枠から取り外される手順を示す断面図。
【図５】吸込グリルが開いた状態にある室内機本体を示す断面図。
【図６】吸込グリルが閉じた状態にある室内機本体を示す断面図。
【図７】室内機へ取り付けられるフィルタ保持枠を示す平面図。
【図８】室内機の前面側にある吸込グリルを開け、プレフィルタを外し、さらに室内機本体に取り付けられたフィルタ保持枠からフィルタ本体と脱臭フィルタを取り外した状態を示す斜視図。
【図９】従来の空気調和機におい空気清浄用のフィルタがフィルタ保持枠に固定保持される構成を示す平面図。
【図１０】従来の他の空気調和機におい空気清浄用のフィルタがフィルタ保持枠に固定保持される他の構成を示す平面図。
【図１１】室内パネルを開け空気清浄用フィルタを取り外すことを説明するための斜視図。
【符号の説明】
１  室内機
１ａ  室内機の前面側
２  吸込グリル
３  プレフィルタ
５  フィルタ保持枠
５ａ  外周枠部
７  フィルタ本体
１０  集塵フィルタ部
２０  フィルタ保持板
２２  係止部
２２ａ  開口部
２４  案内溝
２４ａ  開口部
２４ｂ  係止溝部
２４ｃ  爪
２４ｄ  保持部
３０  前面パネル
３０ａ  前面パネル格子部分
３１  係合部
３２  案内突起部
３４  把持部
３４ａ  波形状凹凸部
【図１】
0003854379.tif 000002
【図２】
0003854379.tif 000003
【図３】
0003854379.tif 000004
【図４】
0003854379.tif 000005
【図５】
0003854379.tif 000006
【図６】
0003854379.tif 000007
【図７】
0003854379.tif 000008
【図８】
0003854379.tif 000009
【図９】
0003854379.tif 000010
【図１０】
0003854379.tif 000011
【図１１】
0003854379.tif 000012